(57)【要約】【課題】  上部パネルと下部パネルとの間で0度から180度の反転を行うことができる折り畳み式展開機構を提供する。【解決手段】  本発明は折り畳み伸展機構を公開し、上部パネルと下部パネルとを折り畳むまたは伸展するために、ヒンジで連結される上部パネルと下部パネルとの間に配置され、それに、上記の上部パネルと下部パネルとの間に0-180度の範囲で回転することができる折り畳み伸展機構であって、その中、四連結バー組立体と、プッシュロッド組立体と、補助連結バー組立体とを含み、補助連結バー組立は第１の補助連結バーと第２の補助連結バーを含み、第１の補助連結バーの一端は第２の補助連結バーの一端とヒンジ止めされ、第１の補助連結バーの他端は下部パネルとヒンジ止めされ、第２の補助連結バーの他端は第４の連結バーと固定的に連結される。本発明は上部パネルと下部パネルとを折り畳むまたは伸展するために、ヒンジで連結される上部パネルと下部パネルとの間に配置され、上部パネルと下部パネルとの間に0-180度の範囲で回転することができる。【選択図】  図１-１
2019501342.tif 000002
【特許請求の範囲】
【請求項１】
上部パネルと下部パネルとを折り畳むあるいは伸展するために、ヒンジで連結される前記上部パネルと前記下部パネルとの間に配置され、それに、前記上部パネルと前記下部パネルとの間に0-180度の範囲で回転することができる折り畳み伸展機構であって、
第１の連結バーと、第２の連結バーと、第３の連結バーと、第４の連結バーとを含み、前記第１の連結バーの一端は前記第２の連結バーの一端とヒンジ止めされ、前記第１の連結バーの他端は前記上部パネルとヒンジ止めされ、前記第２の連結バーの他端は前記下部パネルとヒンジ止めされ、前記第１の連結バーと前記第２の連結バーとのヒンジ結合部に第１のヒンジポイントが形成され、前記第３の連結バーの中央部は前記第１のヒンジポイントを介して、前記第１の連結バーと前記第２の連結バーとヒンジ止めされ、前記第３の連結バーの一端は前記第２のヒンジポイントを有し、前記第４の連結バーの一端は前記第２のヒンジポイントを介して、前記第３の連結バーとヒンジ止めされ、前記第３の連結バーの前記第１のヒンジポイントに対する他端に前記第３のヒンジポイントが設けられる、ように構成される一つの四連結バーの組立と；
プッシュロッドとプッシュ部を含み前記プッシュロッドの一端は前記第４の連結バーの前記第３の連結バーと相対する他端と固定的に連接され、前記プッシュロッドの他端は前記プッシュ部と連結され、前記プッシュロッドを駆動するように、前記プッシュ部は前記下部パネルに取り付けられる、ように構成される一つのプッシュロッド組立と；
を含むことを特徴とする折り畳み伸展機構。
【請求項２】
折り畳み伸展機構において、
内側スリーブと、中間スリーブと、外側スリーブとを含み、それらのうち前記中間スリーブは前記内側スリーブの外側に設けられ、前記外側スリーブは前記中間スリーブの外側に設けられ、前記内側スリーブに二つのつめが設けられ、前記二つのつめの一端は一つの位置付け軸を介してヒンジで連結され、前記位置付け軸は前記内側スリーブにおける両側の内壁に回動可能に連接され、前記二つのつめの他端にまた一つのバネが設けられ、前記内側スリーブの一端が前記第３の連結バーと相対する前記第４の連接バーの他端とヒンジ止めされ、前記外側スリーブの一端は前記第３のヒンジポイントを通して前記第３の連結バーとヒンジ止めされる、ように構成される軸方向ロック機構と；
一端が前記第３のヒンジポイントを通して前記外側スリーブとヒンジ止めされ、他端が前記上部パネルと対向配置される一つのスタートスキッドと；
前記外側スリーブに設けられ、一端が前記スタートスキッドの一端の他方の側とヒンジ止めされ、他端が前記中間スリーブに当接する一つのプッシュブロックと；
をさらに含むことを特徴とする請求項１記載の折り畳み伸展機構。
【請求項３】
折り畳み伸展機構において、前記内側スリーブと、前記中間スリーブと、前記外側スリーブとの間にそれぞれお互いに摺動することができ、前記外側スリーブと相対する前記スタートスキッドの他端の一方の側に一つの円弧面が設けられ、その円弧面が前記上部パネルと正面的に向き合うことを特徴とする請求項２記載の折り畳み伸展機構。
【請求項４】
折り畳み伸展機構において、それぞれ前記内側スリーブの中央部の両側に、前記中間スリーブの中央部の両側に、及び前記外側スリーブの中央部の両側にすべて一つの貫通孔が設けられ、二つの爪の爪部はそれぞれ内から外まで前記内側スリーブと前記中間スリーブと前記外側スリーブとの貫通孔を貫通し、前記二つの爪の爪部の端面がそれぞれ前記内側スリーブ、前記中間スリーブ、前記外側スリーブの両側の貫通孔の内壁に当接することを特徴とする請求項４記載の折り畳み伸展機構。
【請求項５】
折り畳み伸展機構において、前記第１の連結バーの一方の側に筋状に延びる第１の凸部が形成され、前記上部パネルの前記下部パネルと向き合う側に前記第１の凸部と相対する第２の凸部が形成され；
前記第３の連結バーは全体的に三角形であり、その中の二つの角にそれぞれ第１のヒンジポイントと第２のヒンジポイントとが形成され、他の一つの角が閉まる状態では、前記第１の凸部と前記第２の凸部との間に位置し、伸展する過程では、前記第２の凸部に当接し、前記上部パネルの伸展動作を補助して、前記第３の連結バーの他の一つの角は円弧状であり、あるいはローラが設けられていることを特徴とする請求項１記載の折り畳み伸展機構。
【請求項６】
折り畳み伸展機構において、前記第１の連結バーと、前記第２の連結バーと、前記第３の連結バーとをヒンジで連結するように、前記第１のヒンジポイントに回動軸が設けられることを特徴とする請求項５記載の折り畳み伸展機構。
【請求項７】
折り畳み伸展機構において、前記第１のヒンジポイントから外に延びたところに、一つの突出部が形成され、それに、前記折り畳み伸展機構の展開時及び折り畳み時に、前記突出部が前記第４の連結バーの一つの側面に当接し、前記第３の連結バーと前記第４の連結バーとの相対位置を制限することができることを特徴とする請求項６記載の折り畳み伸展機構。
【請求項８】
折り畳み伸展機構において、前記第４の連結バーの側面がＬ字型であることを特徴とする請求項１記載の折り畳み伸展機構。
【請求項９】
折り畳み伸展機構において、前記上部パネルおよび前記下部パネルの両方の対向面にそれぞれ溝が設けられ、これら二つの溝が一緒になって一つの収容スペースを形成し、前記四連結バー組立体が折り畳まれた状態で収容スペース内に収容されることを特徴とする請求項１記載の折り畳み伸展機構。
【発明の詳細な説明】
【技術分野】
【０００１】
本発明はパネルをヒンジで連結する補助構造に関し、特に、折り畳み伸展機構に関するものである。
【背景技術】
【０００２】
一般的に、二つの大きな面積を持つパネル間に関節を連結する関係が存在する場合、ヒンジを使用する必要がある同時に、圧力を受ける伸展及び折り畳む動作を完了させるための所定の動力システムも必要である。二つのパネルの間に0-180度の折り畳み伸展動作が実施される場合に、占有スペースが大きくなり、構造も比較的複雑になるため、多くの使用環境に対して良好に適合させることができない。そのため、上記の存在する問題に対して、構造全体が簡単で、しかも占有スペースがより小さい折り畳み伸展機構が必要になった。
【発明の概要】
【０００３】
上記の提出した問題に対して、本発明の目的は折り畳み伸展機構を提供することである。
【０００４】
上記の目的を実現するため、採用された技術案は以下通りであり、すなわち、上部パネルと下部パネルとを折り畳むあるいは伸展するために、ヒンジで連結されている上部パネルと下部パネルとの間に配置され、それに、上記の上部パネルと下部パネルとの間に0-180度の範囲で回転することができる折り畳み伸展機構であって、その折り畳み伸展機構は、第１の連結バーと、第２の連結バーと、第３の連結バーと、第４の連結バーとを含み、その第１の連結バーの一端は上記の第２の連結バーの一端とヒンジ止めされ、上記の第１の連結バーの他端は上記の上部パネルとヒンジ止めされ、上記の第２の連結バーの他端は上記の下部パネルとヒンジ止めされ、上記の第１の連結バーと第２の連結バーとのヒンジ結合部に第１のヒンジポイントが形成され、上記の第３の連結バーの中央部は第１のヒンジポイントを介して、上記の第１の連結バーと第２の連結バーとヒンジ止めされ、上記の第３の連結バーの一端は第２のヒンジポイントを有し、上記の第４の連結バーの一端は上記の第２のヒンジポイントを介して、上記の第３の連結バーとヒンジ止めされ、上記の第３の連結バーの上記の第１のヒンジポイントに対する他端に第３のヒンジポイントが設けられる、という四連結バーの組立と；
プッシュロッドとプッシュ部を含み、上記のプッシュロッドの一端は上記の第４の連結バーの第３の連結バーと相対する他端と固定的に連接され、上記のプッシュロッドの他端は上記のプッシュ部と連結され、上記のプッシュロッドを駆動するように、上記のプッシュ部は上記の下部パネルに取り付けられ、というプッシュロッド組立と；を含む。
【０００５】
上記の折り畳み伸展機構は、また、
内側スリーブと、中間スリーブと、外側スリーブとを含み、その中、上記の中間スリーブは上記の内側スリーブの外側に設けられ、上記の外側スリーブは上記の中間スリーブの外側に設けられ、上記の内側スリーブに二つのつめが設けられ、上記の二つのつめの一端は一つの位置付け軸を介してヒンジで連結され、上記の位置付け軸は上記の内側スリーブにおける両側の内壁に回動可能に連接され、上記の二つのつめの他端にまた一つのバネが設けられ、上記の内側スリーブの一端が上記の第３の連結バーと相対する第４の連接バーの他端とヒンジ止めされ、上記の外側スリーブの一端は上記の第３のヒンジポイントを通して上記の第３の連結バーとヒンジ止めされ、というアキシャルロック機構と；
一端が上記の第３のヒンジポイントを通して上記の外側スリーブとヒンジ止めされ、他端が上記の上部パネルと正面的に向き合う一つのスタートスキッドと；
上記の外側スリーブに設けられ、一端が上記のスタートスキッドの一端の他方の側とヒンジ止めされ、他端が上記の中間スリーブに当接する一つのプッシュブロックと；を含む。
【０００６】
上記の折り畳み伸展機構において、上記の内側スリーブと、上記の中間スリーブと、上記の外側スリーブとの間にそれぞれお互いに摺動することができ、上記の外側スリーブと相対するスタートスキッドの他端の一方の側に一つの円弧面が設けられ、その円弧面が上記の上部パネルと正面的に向き合う。
【０００７】
上記の折り畳み伸展機構において、それぞれ上記の内側スリーブの中央部の両側に、上記の中間スリーブの中央部の両側に、及び上記の外側スリーブの中央部の両側にすべて一つの貫通孔が設けられ、二つのつめの爪部はそれぞれ内から外まで上記の内側スリーブと上記の中間スリーブと上記の外側スリーブとの貫通孔を貫通し、上記の二つの爪の爪部の端面がそれぞれ上記の内側スリーブ、中間スリーブ、外がわスリーブの両側の貫通孔の内壁に当接する。
【０００８】
上記の折り畳み伸展機構において、上記の第１の連結バーの一方の側に筋状で伸びる第１の凸部が形成され、上記の上部パネルの上記の下部パネルと向き合う側に上記の第１の凸部と相対する第２の凸部が形成され；上記の第３の連結バーは全体的に三角形であり、その中の二つの角にそれぞれ第１のヒンジポイントと第２のヒンジポイントとが形成され、他の一つの角が閉まる状態では、上記の第１の凸部と第２の凸部の間に位置し、伸展する過程では、上記の第２の凸部に当接し、上記の上部パネルの伸展動作を助けて、上記の第３の連結バーの他の一つの角は円弧状であり、あるいはローラが設けられている。
【０００９】
上記の折り畳み伸展機構において、上記の第１の連結バーと、第２の連結バーと、第３の連結バーとをヒンジで連結するように、上記の第１のヒンジポイントに回動軸が設けられる。
【００１０】
上記の折り畳み伸展機構において、上記の第１のヒンジポイントから外に伸びたところに、一つの突出部が形成され、それに、上記の折り畳み伸展機構の展開時及び折り畳み時に、上記の突出部が上記の第４の連結バーの一つの側面に当接し、上記の第３の連結バーと第４の連結バーとの相対位置を制限することができる。
【００１１】
上記の折り畳み伸展機構において、上記の第４の連結バーの側面がＬ字型である。
【００１２】
上記の折り畳み伸展機構において、上記の上部パネルと上記の下部パネルとは面と向き合う側に全部溝が設けられ、二つの溝が共に収容スペースを形成し、上記の四連結バー組立体は折り畳み状態では上記の収容スペースに収容される。
【発明の効果】
【００１３】
本発明は上記の技術案により、既存の技術に比べて積極的な効果が以下通り、すなわち、
（１）本発明に提供された折り畳み伸展機構は、ヒンジで連結される上部パネルと下部パネルの間に取り付けられ、上記の上部パネルと下部パネルとを折り畳み、または展開することができるようになり、そして、上記の上部パネルと上記の下部パネルとを0-180度の回転を完了することができるようになった。
【００１４】
（２）本発明に提供された折り畳み伸展機構には、一つセットのアキシャルロック機構が増設され、スタートスキッドが所定の位置に達した後に、そのスタートスキッドを相対的な再回転をさせないため、オイルシリンダ軸に対する角度をロックすることができるようになった。
【図面の簡単な説明】
【００１５】
【図１−１】図１-１は、本発明の折り畳み伸展機構を示す図である。
【図１−２】図１-２は、本発明の折り畳み伸展機構の一部を拡大する図である。
【図１−３】図１-３は、本発明の折り畳み伸展機構の90度の折り畳み状態での概略図である。
【図２−１】図２-１は、本発明の折り畳み伸展機構の取り付け構造を示す図である。
【図２−２】図２-２は、本発明の折り畳み伸展機構の四連結バーの連結構造を示す透視図である。
【図２−３ａ】図２-３ａは、本発明の折り畳み伸展機構の第１の連結バー4の構造を示す図である。
【図２−３ｂ】図２-３ｂは、本発明の折り畳み伸展機構の第２の連結バー5の構造を示す図である。
【図２−３ｃ】図２-３ｃは、本発明の折り畳み伸展機構の第３の連結バー6の構造を示す図である。
【図２−３ｄ】図２-３ｄは、本発明の折り畳み伸展機構の第４の連結バー7の構造を示す図である。
【図２−４ａ】図２-４ａは、本発明の折り畳み伸展機構を具体的に使用する場合の概略図である。
【図２−４ｂ】図２-４ｂは、本発明の折り畳み伸展機構を具体的に使用する場合の概略図である。
【図２−４ｃ】図２-４ｃは、本発明の折り畳み伸展機構を具体的に使用する場合の概略図である。
【図２−４ｄ】図２-４ｄは、本発明の折り畳み伸展機構を具体的に使用する場合の概略図である。
【発明を実施するための形態】
【００１６】
以下に添付の図面を参照しながら実施形態を具体的に説明するが、本発明を限定するものではない。
【００１７】
第１の実施形態：
図１-１は本発明の折り畳み伸展機構を示す図であり、図１-２は本発明の折り畳み伸展機構の一部を拡大する図であり、図１-３は本発明の折り畳み伸展機構の９０度の折り畳み状態での概略図である。図１-１、図１-２、図１-３に示すように、一種類の好ましい折り畳み伸展機構の実施形態を示し、その折り畳み伸展機構は、ヒンジで連結されている上部パネル1と下部パネル2との間に取り付けられ、上部パネル1と下部パネル2との間に0-180度で回転させることができる。
【００１８】
また、好ましい実施形態では、折り畳み伸展機構は四連結バー組立体を備え、その四連結バー組立体は第１の連結バー4と、第２の連結バー5と、第３の連結バー6と、第４の連結バー7とを含み、第１の連結バー4の一端は第２の連結バー5の一端とヒンジ止めされ、第１の連結バー4の他端は上部パネル1とヒンジ止めされ、第２の連結バー5の他端は下部パネル2とヒンジ止めされ、第１の連結バー4と第２の連結バー5とのヒンジ結合部に第１のヒンジポイント10が形成され、第３の連結バー6の中央部は第１のヒンジポイント10を介して、第１の連結バー4と第２の連結バー5とヒンジ止めされ、第３の連結バー6の一端は第２のヒンジポイント11を有し、第４の連結バー7の一端は第２のヒンジポイント11を介して、第３の連結バー6とヒンジ止めされ、第３の連結バー6の第１のヒンジポイント10に対する他端に第３のヒンジポイント181が設けられる。
【００１９】
なお、好ましい実施形態では、折り畳み伸展機構はプッシュロッド組立体を備え、そのプッシュロッド組立体はプッシュロッド8とプッシュ部9とを含み、プッシュロッド8の一端は第４の連結バー7の第３の連結バー6と相対する他端と固定的に連接され、プッシュロッド8の他端はプッシュ部9と連結され、プッシュロッド8を駆動するように、プッシュ部9は下部パネル2に取り付けられる。
【００２０】
更に、好ましい実施形態では、折り畳み伸展機構は軸方向ロック機構を備え、その軸方向ロック機構は内側スリーブ16と、中間スリーブ17と、外側スリーブ18とを含み、そのうちの中間スリーブ17は内側スリーブ16の外側に設けられ、外側スリーブ18は中間スリーブ17の外側に設けられ、内側スリーブ16に二つの爪19が設けられ、二つの爪19の一端は一つの位置付け軸191を介してヒンジで連結され、位置付け軸191は内側スリーブ16における両側の内壁に回動可能に連接され、二つの爪19の他端にまた一つのバネ192が設けられる。位置付け軸191により、二つの爪19は内側スリーブ17における対応する位置に固定される。バネ192により、爪19の通常の開き角が確保され、中間スリーブ17は軸方向に沿って移動することにより、爪19の 開閉動作が制御される。
【００２１】
また、好ましい実施形態では、内側スリーブ16の一端が第３の連結バー6と相対する第４の連接バー7の他端とヒンジ止めされ、外側スリーブ18の一端は第３のヒンジポイント181を通して第３の連結バー6とヒンジ止めされる。
【００２２】
また、好ましい実施形態では、折り畳み伸展機構はスタートスキッド20を備え、スタートスキッド20の一端が第３のヒンジポイント181を通して外側スリーブ18とヒンジ止めされ、スタートスキッド20の他端が上部パネル1と正面的に向き合う。
【００２３】
また、好ましい実施形態では、折り畳み伸展機構はプッシュブロック201を備え、プッシュブロック201は外側スリーブ18内に設けられ、その一端がスタートスキッド20の一端の他方の側とヒンジ止めされ、その他端が中間スリーブ17に当接している。スタートスキッド20には、折り畳み及び展開中に90度を越える時のパネルが揺動する問題を解決するように、軸方向ロック機構が追加された。軸方向ロック機構は、スタートスキッド20が所定位置に移動した後に、油圧シリンダのプッシュロッド8の軸線に対する角度をロックして、スタートスキッド20に相対回転をさせない役割を果たす。
【００２４】
また、好ましい実施形態では、内側スリーブ16と中間スリーブ17との間に、中間スリーブ17と外側スリーブ18との間に、共にお互いに摺動することができる。
【００２５】
また、好ましい実施形態では、内側スリーブ16の中央部の両側に、中間スリーブ17の中央部の両側に、及び外側スリーブ18の中央部の両側にすべて一つの貫通孔が設けられ、二つの爪19の爪部はそれぞれ内から外まで内側スリーブ16と中間スリーブ17と外側スリーブ18との貫通孔を通過する。気液ダンパーを機械的なロック爪の限界に置き換えることは、比較的に直感的であり、便利であり、ロッカーの同期が取り消され、構造が簡単になり、メンテナンスが容易になり、故障率も低くなる。小さいスペース構造のシステムの方に相応しい。
【００２６】
また、好ましい実施形態では、二つの爪19の爪部の端面はそれぞれ内側スリーブ16、中間スリーブ17、外側スリーブ18の両側における貫通孔の内壁に当接する。外側スリーブ18は対向する貫通孔を通して、裏側17における爪19の爪部とお互いに位置決めされ、よって、ロック機構の全ての機能的な動作が完了するようになった。
【００２７】
以上はただ本発明の好ましい実施形態だけで、本発明の実施形態及び保護範囲を限定するものではない。
【００２８】
本発明は上述したものをベースにして、また以下の実施方式もある。
【００２９】
本発明の更なる実施形態では、引き続き図１と図２を参照すれば、外側スリーブ18と相対するスタートスキッド20の他端の一方の側に一つの円弧面が設けられ、その円弧面は上部パネル1と向き合っている。
【００３０】
本発明の更なる実施形態では、第４の連結バー7の側面はＬ字型である。
【００３１】
本発明の更なる実施形態では、上部パネル1と下部パネル2とはヒンジ3により連結され、上部パネル1と下部パネル2とはヒンジ3を中心として、相対的に回動する。
【００３２】
本発明の更なる実施形態では、上部パネル1と下部パネル2の両方の対向面にそれぞれ溝（凹部）が設けられ、これら二つの溝が一緒になって一つの収容スペースを形成し、四連結バー組立体が折り畳まれた状態で収容スペース内に収容されるように構成されている。
【００３３】
本発明の更なる実施形態では、三つのスリーブを採用することにより、構造が比較的にコンパクトになり、ストロークがニーズを満たす前提で、動作幅とストロークが小さくて、外観も簡単で、維持しやすくなるようになった。
【００３４】
本発明の更なる実施形態では、スリーブの形状は、中空の直方体であるが、これに限定されない。
【００３５】
以上はただ本発明の好ましい実施形態であり、本発明の実施方式及び保護範囲を限定するものではない。当業者に対して、本発明及び付図に基づいて作られた均等の変更や明らかな変化は全部本発明の保護範囲内に属するということに意識すべきである。
【００３６】
第２の実施形態：
図２-１は本発明の折り畳み伸展機構の取り付け構造の概略図であり、図２-２は本発明の折り畳み伸展機構の四連結バーの連結構造の透視図であり、図２-３ａから図２-３ｄまでは本発明の折り畳み伸展機構の第１の連結バー4の構造をそれぞれ示す図であり、図２-４ａから図２-４ｄまでは具体的に使用する場合の本発明の折り畳み伸展機構をそれぞれ示す概略図である。図２-１、図２-２、図２-３ａ〜図２-３ｄ、図２-４ａ〜図２-４ｄを参照すれば、ヒンジで連結される上部パネル1と下部パネル2との間に設けられ、上部パネル1と下部パネル2との折り畳み中あるいは展開中に、上部パネル1と下部パネル2との間に0-180度の反転を完了させるための一種類の好ましい実施形態の折り畳み伸展機構が示される。
【００３７】
また、好ましい実施形態では、折り畳み伸展機構は四連結バー組立体を備えている。この四連結バー組立体機構は、第１の連結バー4と、第２の連結バー5と、第３の連結バー6と、第４の連結バー7とを含み、そして、第１の連結バーの一端は第２の連結バーの一端とヒンジ止めされ、第１の連結バーの他端は上部パネル1とヒンジ止めされ、第２の連結バー5の他端は下部パネル2とヒンジ止めされ、第１の連結バー4と第２の連結バー5とのヒンジ止めするところに第１のヒンジポイント10が形成され、第３の連結バー6は第１のヒンジポイント10を介して、第１の連結バー4と第２の連結バー5とヒンジ止めされ；第３の連結バー6に第２のヒンジポイント11が設けられ、第４の連結バー7の一端は第２のヒンジポイント11を介して、第３の連結バー6とヒンジ止めされる；
また、好ましい実施形態では、折り畳み伸展機構はプッシュロッド組立を備え、そのプッシュロッド組立はプッシュロッド8とプッシュ部9を含み、プッシュロッド8の一端は第４の連結バー7の他端と連結され、プッシュロッド8の他端はプッシュ部9と連結され、それに、プッシュ部9は下部パネル2に取り付けられ、よって、プッシュロッド8を駆動して四連結バー組立体を作動させるようになり、よって、折り畳み効果及び伸展効果を実現するようになった。
【００３８】
また、好ましい実施形態では、上記の上部パネル1と下部パネル2の相対する面に全て隙間があり、それに、一つの収容スペースが形成され、上記の四連結バー組立体は折り畳み状態で上記の収容スペースに収容される。よって、折り畳みおよび展開の動作が完了できる状況で、機構の全体構造が単純になるほか、二つのパネルに隠されることにより、占有スペースがより小さくなった。
【００３９】
また、好ましい実施形態では、図２-２、図２-３ａ、図２-３ｃ、図２-４ｂに示すように、第１の連結バー4の一端に筋状に延びる第１の凸部14が形成され、上部パネル1は下部パネル2に向かう面には、上記の第１の凸部14と相対する第２の凸部15が設けられる。
【００４０】
なお、好ましい実施形態では、第３の連結バー6の全体は三角形であり、その中の二つの角にそれぞれ、上記の第１のヒンジポイント10と第２のヒンジポイント11が設けられ、他の一つの角13は閉まる状態では第１の凸部14と第２の凸部15の間に位置し、そして、伸展中に第２の凸部15に当接し、上部パネル1の伸展動作を補助する役割を果たす。よって、三角形の第３の連結バー6は二つのヒンジポイントと一つの当接点とによって、一体的にジャッキアップ構造が構成され、よって、起動時の連結バーの挟み角が小さすぎることによる不十分な推力問題を効果的に解決することができ、また、移行補助の効果が更に高まることができるように、上記の他の一つの角13を円弧状にし、あるいはその上にローラを設けることができるが、これらに限定されない。
【００４１】
また、好ましい実施形態では、第１の連結バー4と、第２の連結バー5と、第３の連結バー6とをヒンジで連結して、ピボットの形で連結するように、上記の第１のヒンジポイント10に内部を貫通して、回動軸12が設けられている。上記の回動軸12には回転角減衰（図示せず）が設けられており、この回転角減衰は、パネルをある角度に回転させるときに緩衝を提供することができ、重心の変位による支持構造への局部的な衝撃を解消することができるようになった。また、第２のヒンジポイント11に別の一つの回動軸を設けてもよく、同様に、この回動軸にも回転角減衰を配置して、緩衝効果を持たせるようにしてもよい。
【００４２】
以上は本発明の好ましい実施形態にすぎないものであり、本発明の実施方式及び保護範囲を制限するものではない。
【００４３】
本発明は上記をベースにして、また以下の実施方式もある。
【００４４】
本発明の更なる実施形態では、図２-４ａから図２-４ｄまでに示すように、上記のプッシュ部9は力を支持して折り畳み展開動作を完了させるための動力システムとする電動シリンダであるが、空気圧シリンダ等他の動力装置であってもよく、ひいては主動駆動であってもよく、これらに限定されるべきではない。
【００４５】
本発明の更なる実施形態では、図２-３ｄ、図２-４ｃに示すように、上記の第４の連結バー7の他端に一つのブラインドホールや貫通孔（図示せず）が設けられており、上記のプッシュロッド8の一端にそのブラインドホールや貫通孔に貫通して設けられており、それに本実施形態では、第４の連結バー7の全体はＬ字型であり、展開中にスラスト方向の有効性を確保できるようになった。
【００４６】
本発明の更なる実施形態では、上部パネル1の一端と下部パネル2の一端とはヒンジ3によってヒンジ止めされている。なお、上部パネル1と下部パネル2とは共にかたこうで製作され、それら自体が内部隙間を有し、上記の折り畳み伸展機構を隙間内に容易に隠すことができるようになった。あるいは、上記の折り畳み伸展機構を上部パネル1と下部パネル2との側面に設けてもよくて、パネルと四連結バー組立体の各ヒンジポイントと凸部構造とも上部パネル1と下部パネル 2の側面に設けてもよく、同じように、隠し式の技術効果を実現できる。
【００４７】
本発明の更なる実施形態では、上記の第４の連結バー7の他端に貫通孔が設けられ、上記のプッシュロッド8の一端は上記の貫通孔を通過して、それに、上記ヒンジポイント10を通過して配置されている回動軸12とヒンジ止めされる。
【００４８】
本発明の更なる実施形態では、図２-３ｃ、図２-４ｂに示すように、上記第１のヒンジポイント10から外に伸びたところに突出部14が形成されており、それに、上記の折り畳み伸展機構の展開及び折り畳み中で、突出部14は第４の連結バー4の一つの片側に当接し、第３の連結バー6と第４の連結バー7の相対位置を制限することができる。
【００４９】
本発明の更なる実施形態では、折り畳み伸展機構は折り畳み状態では上部パネルと下部パネルに収容され、折り畳み及び展開動作が完了できる状況で、機構全体構造が簡単になるほか、二つのパネルに隠されることにより、占有スペースがより小さくなった。三角形の第３の連結バー6は二つのヒンジポイントと一つの当接点によって、一体的にジャッキアップ構造が構成され、よって、起動時の連結バーの挟み角が小さすぎることによる不十分な推力問題を効果的に解決することができ、回動軸12に回転角減衰が配置されており、パネルがある角度に回転される時に緩衝を提供することができ、重心が変位することによる支持構造への一部的な衝撃を解決することができるようになった。
【００５０】
以上はただ本発明の好ましい実施形態であり、本発明の実施方式及び保護範囲を限定するものではない。当業者に対して、本発明及び付図に基づいて作られた均等の変更や明らかな変化は全部本発明の保護範囲内に属するということに意識すべきである。
【符号の説明】
【００５１】
1、上部パネル；2、下部パネル；3、ヒンジ；4、第１の連結バー；5、第２の連結バー；6、第３の連結バー；7、第４の連結バー；8、プッシュロッド；9、プッシュ部；10、第１のヒンジポイント；11、第２のヒンジポイント；12、回動軸；13、角度；14、第１の凸部；15、第２の凸部；16、内側スリーブ；17、中間スリーブ；18、外側スリーブ；181、第３のヒンジポイント；19、爪；191、位置付け軸；192、バネ；20、スタートスキッド；201、プッシュブロック。
【図１−１】
2019501342.tif 000003
【図１−２】
2019501342.tif 000004
【図１−３】
2019501342.tif 000005
【図２−１】
2019501342.tif 000006
【図２−２】
2019501342.tif 000007
【図２−３ａ】
2019501342.tif 000008
【図２−３ｂ】
2019501342.tif 000009
【図２−３ｃ】
2019501342.tif 000010
【図２−３ｄ】
2019501342.tif 000011
【図２−４ａ】
2019501342.tif 000012
【図２−４ｂ】
2019501342.tif 000013
【図２−４ｃ】
2019501342.tif 000014
【図２−４ｄ】
2019501342.tif 000015
【国際調査報告】
2019501342.tif 000016
2019501342.tif 000017
2019501342.tif 000018
2019501342.tif 000019
2019501342.tif 000020
2019501342.tif 000021